(57)【要約】【課題】扱深さ搬送体を安定的に支持してその横ブレを防止する。【解決手段】扱深さ搬送体２８は、前処理部１６の掻込み体２６とフィードチエン３０の搬送始端部との中間において、機体前方が低くかつ後方に向けて高くなるように傾斜配置されている。そして、扱深さ搬送体２８の搬送終端部側は、機体前部に支持された横伝動筒５２の長手方向の端部と中間部の２箇所にて、該横伝動筒５２に回動自在に支持されていることで、該扱深さ搬送体２８は、横ブレがないように強固に支持され、刈取穀稈は安定した稈姿勢に保持されながらスムーズに搬送される。【選択図】      図３
2004321066.tif 000002
【特許請求の範囲】
【請求項１】
前処理部の掻込み体とフィードチエンの搬送始端部との中間にて、機体後方に向けて高くなるように傾斜配置された扱深さ搬送体の搬送終端部側を、機体前部に支持されかつ伝動軸を内蔵した横伝動筒にて上下回動自在に支持したコンバインの扱深さ搬送装置において、
前記扱深さ搬送体を、前記横伝動筒の長手方向の端部と中間部における複数箇所にて該横伝動筒に回動自在に支持した、
ことを特徴とするコンバインの扱深さ搬送装置。
【請求項２】
前記扱深さ搬送体は、穀稈の穂先側を搬送する補助穂先搬送体とその後方の主穂先搬送体とを有すると共に、該主穂先搬送体側から前記補助穂先搬送体側に向けて穀稈の搬送通路の上方を跨ぐように屈曲されかつ前記補助穂先搬送体を駆動する駆動軸を内蔵した動力伝動ケースの基端側を、前記横伝動筒の長手方向の中間部にて支持部材を介し該横伝動筒に回動自在に支持した、
ことを特徴とする請求項１記載のコンバインの扱深さ搬送装置。
【発明の詳細な説明】
【０００１】
【発明の属する技術分野】
本発明は、コンバインの扱深さ搬送装置に関する。
【０００２】
【従来の技術】
コンバインは、前処理部で刈取った穀稈を掻込み体で掻込み、次いで扱深さ搬送体に引継ぎ該扱深さ搬送体によって扱ぎ深さを調節しながらフィードチエンに継送し、脱穀部において適正な扱深さで脱穀を行う。従来、前記扱深さ搬送体は、穀稈の搬送終端側を機体の前部に立設した取付支柱に支持した伝動筒を中心に、前方側を上下回動自在に支持し、穀稈長に応じて穀稈の挟持搬送位置を調節することによって、扱ぎ深さを調節するようにしている（例えば、特許文献１参照）。
【０００３】
【特許文献１】
特開平１０−１２７１４２号公報（第２頁、図６）
【０００４】
【発明が解決しようとする課題】
しかし、前述した従来のコンバインでは、扱深さ搬送体は前記伝動筒でのみ上下回動自在に支持されていたため、扱深さ調節をする際等に扱深さ搬送体が横ブレを生じて安定性に欠けるという課題があった。
【０００５】
本発明は、斯かる課題を解決するためになされたもので、その目的とするところは、扱深さ搬送体を安定的に支持してその横ブレを防止することができるコンバインの扱深さ搬送装置を提供することにある。
【０００６】
【課題を解決するための手段】
前記目的を達成するため、請求項１に係る発明は、前処理部（１６）の掻込み体（２６）とフィードチエン（３０）の搬送始端部との中間にて、機体後方に向けて高くなるように傾斜配置された扱深さ搬送体（２８）の搬送終端部側を、機体前部に支持されかつ伝動軸（６０）を内蔵した横伝動筒（５２）にて上下回動自在に支持したコンバイン（１０）の扱深さ搬送装置において、
前記扱深さ搬送体（２８）を、前記横伝動筒（５２）の長手方向の端部と中間部における複数箇所にて該横伝動筒（５２）に回動自在に支持した、ことを特徴とする。
【０００７】
請求項２に係る発明は、請求項１記載のコンバインの扱深さ搬送装置において、前記扱深さ搬送体（２８）は、穀稈の穂先側を搬送する補助穂先搬送体（４７−１，４７−２）とその後方の主穂先搬送体（４２）とを有すると共に、該主穂先搬送体（４２）側から前記補助穂先搬送体（４７−２）側に向けて穀稈の搬送通路の上方を跨ぐように屈曲されかつ前記補助穂先搬送体（４７−２）を駆動する駆動軸（４８）を内蔵した動力伝動ケース（４６）の基端側を、前記横伝動筒（５２）の長手方向の中間部にて支持部材（５９）を介し該横伝動筒（５２）に回動自在に支持した、ことを特徴とする。
【０００８】
［作用］
本発明によれば、扱深さ搬送体（２８）を、横伝動筒（５２）の長手方向の端部と中間部における複数箇所において該横伝動筒（５２）に回動自在に支持したことで、扱深さ搬送体（２８）は強固に支持されるため、該扱深さ搬送体（２８）の横ブレが防止され、刈取穀稈は安定した稈姿勢に保持されながらスムーズに搬送される。
【０００９】
なお、上述した括弧内の符号は、図面を対照するためのものであって、本発明を何ら限定するものではない。
【００１０】
【発明の実施の形態】
以下、図面に基づき本発明の実施の形態を説明する。
【００１１】
図１及び図２は、本発明が適用されたコンバイン（３条刈）の前部側面図及び平面図であり、コンバイン１０は、左右１対のクローラ走行部１２により支持された走行機体１４の前部に前処理部１６が昇降自在に配設されており、該前処理部１６の前部には穀稈の引起し体１８が傾斜して立設配置されている。また、前処理部１６の下部には、機体前方に向けて前処理フレーム２０が延設され、該前処理フレーム２０の先端には、穀稈を分草するデバイダ２２が設けられている。
【００１２】
更に、前処理フレーム２０の下面には、摺動式の刈刃２４が配設されていて、デバイダ２２で分草された穀稈を引起し体１８で引起した後、刈刃２４により穀稈の株元が切断される。刈取られた穀稈は、前処理フレーム２０に配置された掻込み体２６及び扱深さ搬送体２８を経てフィードチエン３０に引継がれ、脱穀部（図示せず）に供給され該脱穀部にて脱穀選別される。
【００１３】
前記掻込み体２６は、前処理フレーム２０に支持されたスターホイル３２と、該スターホイル３２と同軸状に軸支された駆動プーリ３３と、その前方の従動プーリ３４との間に巻回された搬送ベルト３７とを有し、該搬送ベルト３７には複数の掻込みタイン３５が所定間隔を隔てて配設されている。前記駆動プーリ３３の下方には、扱深さ搬送体２８の搬送始端位置まで延設された搬送チエン３８−１，３８−２が配置されていて、刈刃２４で切断された刈取穀稈は、前述した搬送ベルト３７と搬送チエン３８を介して扱深さ搬送体２８に引継がれる。
【００１４】
前記扱深さ搬送体２８は、前処理部１６の掻込み体２６とフィードチエン３０の搬送始端部との中間において、機体前方が低く後方に向けて高くなるように傾斜する構成とされている。この扱深さ搬送体２８は、搬送タイン４０（図２参照）を有するベルト４１が巻回された主穂先搬送体４２と、挟持レール４３に沿う株元搬送チエン４４が巻回された株元搬送体４５とを有し、これら主穂先搬送体４２及び株元搬送体４５が上下に離間して並設されている。
そして、走行機体１４の前部には、後述する取付フレーム５０が立設され、該取付フレーム５０に横伝動筒５２が回動自在に支持されている。この横伝動筒５２には、前処理部１６を支持する前処理伝動筒５７と、扱深さ搬送体２８を支持する駆動ケース５８及び動力伝動ケース４６と、が上下回動自在に支持されている。
【００１５】
また、該扱深さ搬送体２８は、図２に示すように、機体右側の掻込み体２６−１の上方でこれと略々平行する補助穂先搬送体４７−１が主穂先搬送体４２と一体に設けられていて、機体前方から後方に向けて略々一直線状の搬送経路が形成されている（図２の矢印⇒）。
【００１６】
更に、図１及び図２に示すように、機体中央及び左側の掻込み体２６−２，２６−３の上方に位置する補助穂先搬送体４７−２が、略々逆Ｕ字状に屈曲された前記動力伝動ケース４６の先端に配設されている。この動力伝動ケース４６は、駆動軸４８を内蔵していて、主穂先搬送体４２側から補助穂先搬送体４７−２側に向けて穀稈の搬送通路の上方を跨ぐように屈曲され、前記駆動軸４８により補助穂先搬送体４７−２を駆動する。
【００１７】
前記動力伝動ケース４６は、複数の中空パイプ４６ａ，４６ｂ，４６ｃの接続部位にギヤケース４９ａ，４９ｂを装着して扱深さ搬送体２８の上方を跨ぐように略々逆Ｕ字状に屈曲されていて、ギヤケース４９ｂの側方には、下方に延出する支持部材５１を取付けたブラケット５３が固定されている。また、前記支持部材５１の下端側には、挟持レール５４がブラケット５５を介して取付けられていると共に、株元搬送チエン４４に沿って挟持レール４３が配設されている。
【００１８】
更に、前記ブラケット５３には、刈取穀稈の有無を検出する穂先センサ５６が調整自在に取付けられていて、この穂先センサ５６に刈取穀稈が当接して稈長が検出され、扱深さ搬送体２８の扱深さが自動的に調整される。
【００１９】
図３は、扱深さ搬送体２８が、横伝動筒５２の長手方向の左端部と中間部にて該横伝動筒５２に回動自在に支持された状態を示している。
【００２０】
すなわち、前述したように、取付フレーム５０に横伝動筒５２が回動自在に支持されている。また、この横伝動筒５２には、長手方向の左端部において、駆動ケース５８を介して扱深さ搬送体２８が回動自在に支持されていると共に、長手方向の中間部において、支持部材５９を介して動力伝動ケース４６が回動自在に支持されている。
【００２１】
図４及び図５は、その要部の分解斜視図であり、横伝動筒５２は、ギヤケース６９が付設された大径筒部５２ａと、該大径筒部５２ａに隣接し前記支持部材５９が嵌合する小径筒部５２ｂと、長手方向の両端側の取付筒部５２ｃ，５２ｃ’とを有し、内側には伝動軸６０が内蔵されている。なお、ギヤケース６９を介して、前述した前処理伝動筒５７が連結されている。
【００２２】
取付筒部５２ｃ，５２ｃ’は、取付フレーム５０に形成された凹部５０ａに嵌合され、その上部を止め金具６３とボルト６４で固定されて回動自在に軸装されている。また、横伝動筒５２の長手方向の中間部には、支持部材５９に形成された２つ割りの円弧状部５９ａ，５９ｂが被嵌され、ボルト６５で固定されて回動自在に軸装されている。
【００２３】
更に、右端側の取付筒部５２ｃ’には、プーリ６１が回動自在に取付けられていて、該プーリ６１に巻回されたベルト６２に動力が伝動されると、該プーリ６１に連結された前記伝動軸６０が回転するように構成されている。そして、左端側の取付筒部５２ｃには、該取付筒部５２ｃと相対的に回転可能に、すなわち横伝動筒５２とは独立に、前述した駆動ケース５８が取付けられている。また、この駆動ケース５８には、内向きに傾斜配置された駆動軸６６が軸承されていて、該駆動軸６６はベベルギヤ等を介して前記伝動軸６０に連結されている。そして、扱深さ搬送体２８には、この駆動軸６６に取付けたスプロケット６７，６８を介して動力が伝動されると共に、電動シリンダ７０（図１参照）が作動するに伴い、駆動ケース５８が横伝動筒５２に対して回動し、これによって扱深さ搬送体２８が上下に回動する。
【００２４】
また、図５に示すように、前記駆動ケース５８にて分岐された動力が、動力伝動ケース４６の中空パイプ４６ｄとギヤケース４９ｃを介して、補助穂先搬送体４７−２に伝動されている。
【００２５】
次に、作用について説明する。
【００２６】
本実施形態において、刈取・脱穀作業を行う場合は、デバイダ２２で分草された穀稈を引起し体１８で引起し、刈刃２４で穀稈の株元を切断した後に、刈取穀稈は掻込み体２６と扱深さ搬送体２８を経てフィードチエン３０に引継がれ、脱穀部に供給されるが、このような穀稈の刈取・脱穀作業において、掻込み体２６で掻き込まれた刈取穀稈は、その穂先側及び株元側を夫々掻込みタイン３５と搬送チエン３８−１，３８−２に支持されたまま、図２の矢印（⇒）で示される方向に搬送される。そして、搬送チエン３８−１，３８−２に株元側が挟持されたまま、刈取穀稈の穂先側が補助穂先搬送体４７−１，４７−２の搬送始端位置において引継がれる。このとき、補助穂先搬送体４７−１，４７−２は、穂先センサ５６による扱深さ搬送体２８の扱深さ調節により、該扱深さ搬送体２８と一体に上下動して予め刈取穀稈の稈長の長短に応じた穂先位置に設定されている。
【００２７】
次いで、扱深さ搬送体２８の搬送始端位置で合流した刈取穀稈は、穂先側を主穂先搬送体４２の搬送タイン４０に、また株元側を株元搬送体４５の株元搬送チエン４４に引継がれ、その搬送中に刈取穀稈は水平状態に近い傾斜姿勢に変姿されながら、フィードチエン３０に引継がれる。
【００２８】
このように、扱深さ搬送体２８での扱深さ調整における該扱深さ搬送体２８の上下動に連動して補助穂先搬送体４７−１，４７−２が一体的に上下動する。このとき、扱深さ搬送体２８は、横伝動筒５２の長手方向の端部と中間部の２箇所において、該横伝動筒５２に対して回動自在に支持されているので、扱深さ搬送体２８は強固に支持されるため、該扱深さ搬送体２８の横ブレが防止され、刈取穀稈は安定した稈姿勢に保持されながら、スムーズに搬送されることになる。
【００２９】
【発明の効果】
請求項１に係る発明によれば、扱深さ搬送体を、横伝動筒の長手方向の端部と中間部における複数箇所にて該横伝動筒に回動自在に支持したので、扱深さ搬送体を強固に支持することができ、該扱深さ搬送体の横ブレを防止することができる。
【００３０】
請求項２に係る発明によれば、扱深さ搬送体は、穀稈の穂先側を搬送する補助穂先搬送体とその後方の主穂先搬送体とを有すると共に、該主穂先搬送体側から補助穂先搬送体側に向けて穀稈の搬送通路の上方を跨ぐように屈曲され、かつ前記補助穂先搬送体を駆動する駆動軸を内蔵した動力伝動ケースの基端側を、横伝動筒の長手方向の中間部にて支持部材を介し該横伝動筒に回動自在に支持したので、動力伝動ケース自身をしっかりと支持することができると共に、これと相俟って扱深さ搬送体を安定的に支持することができる。
【図面の簡単な説明】
【図１】本発明が適用されたコンバインの前部の側面図である。
【図２】前処理部の要部断平面図である。
【図３】前処理部における扱深さ搬送体の斜視図である。
【図４】同上の要部を拡大した分解斜視図である。
【図５】前処理部の要部分解斜視図である。
【符号の説明】
１０      コンバイン
１６      前処理部
２６      掻込み体
２８      扱深さ搬送体
３０      フィードチエン
４２      主穂先搬送体
４４      株元搬送チエン
４５      株元搬送体
４６      動力伝動ケース
４７−１，４７−２    補助穂先搬送体
４８      駆動軸
５０      取付フレーム
５２      横伝動筒
５８      駆動ケース
５９      支持部材
６０      伝動軸
６６      駆動軸
７０      電動シリンダ
【図１】
2004321066.tif 000003
【図２】
2004321066.tif 000004
【図３】
2004321066.tif 000005
【図４】
2004321066.tif 000006
【図５】
2004321066.tif 000007